(57)【特許請求の範囲】
【請求項１】
コンクリート基礎に支持されて地面から立ち上げて設けられ建物外縁に沿って互いに離隔設置された複数の金属束具と、
複数の金属束具間に横架されて建物外縁を連結する複数の金属製横連結部材と、
金属製横連結部材上に設置される土台と、
土台上に立設される柱と、を含み、
金属束具は、金属製横連結部材を下から受ける横連結部材受部と、
土台上の柱に沿って立設配置されて該柱と連結される添柱を下から受ける添柱受部と、を束具本体に一体的に形成してなることを特徴とする木造建築物の支持構造。
【請求項２】
金属束具がＨ形鋼を加工して形成されていることを特徴とする請求項１記載の木造建築物の支持構造。
【請求項３】
横連結部材受部は、縦に配置したＨ形鋼の一方のフランジのウエブとの両接合部を切り込んで形成した両半截フランジを水平方向に屈曲させ、屈曲部上面を横連結部材載置面とするとともに、両半截フランジの屈曲により出現するウエブ部分を横連結部材受部の突合せ接合板とすることを特徴とする請求項２記載の木造建築物の支持構造。
【請求項４】
横連結部材受部は、縦に配置したＨ形鋼のウエブの一部をウエブとフランジとの接合部を含む一辺を有する四角形状に切欠き、切欠きにより出現する通しフランジ板を水平方向に屈曲させ、屈曲部上面を横連結部材載置面としたことを特徴とする請求項２記載の木造建築物の支持構造。
【請求項５】
添柱受部は、横連結部材受部よりも高位置でありウエブ部分を切除して出現する通しフランジ板をウエブ側に向けて水平方向に屈曲させ、屈曲部上面を添柱載置面としたことを特徴とする請求項３又は４記載の木造建築物の支持構造。
【請求項６】
金属束具の下端にベースプレートが固定されており、該ベースプレートに地盤強化用の基礎杭上端部分が連結されていることを特徴とする請求項１ないし５のいずれかに記載の木造建築物の支持構造。
【請求項７】
請求項１ないし６のいずれかに記載の木造建築物の支持構造を用いた木造建築物。
【請求項８】
請求項１ないし６のいずれかに記載の木造建築物の支持構造に用いられる金属束具。
【発明の詳細な説明】
【技術分野】
【０００１】
本発明は、木造建築物の支持構造に係り、特に、建物の基礎部分における木造建築物の支持構造、木造建築物並びに金属束具に関する。
【背景技術】
【０００２】
木造建築は、木材が燃えやすく腐りやすい、さらに大断面や長い材の入手が困難であるという点を考慮しても、加工が容易で軽量であるわりには強いという利点を有する建築方法であり、日本においても伝統的に採用されてきたものである。木造建築における基礎構造としては、例えば外周基礎や主要な間仕切壁の下あるいは浴室等の下にコンクリート製の高さの低い壁体からなる布基礎を配置し、独立柱の下などに荷重支持のために独立基礎を配置するものが知られている。基礎構造は、建物の床下部分を構成する構造であり、対荷重強度確保の点からも地面からコンクリート壁を立ち上げて建物外縁に沿って閉鎖状に囲んで構成するものが通常である。住宅建築の基礎について、特許文献１に示す工法が開示されている。
【特許文献１】特開２００６−１０４９０９号公報
【発明の開示】
【発明が解決しようとする課題】
【０００３】
特許文献１の独立鋼製布基礎工法は、住宅の基礎工事において、布基礎部分に従来の鉄筋コンクリート部分に替えＨ型鋼材を用い、独立基礎の耐圧盤と緊結したものであり、コンクリート使用による搬出残土を不要とし、また型枠構築必要性や材料、人件コスト高などを抑制しようとするものである。しかしながら、該特許文献１の基礎工法では、単に布基礎部分に施工していたコンクリートの代わりにＨ型鋼を横長に配置して各独立基礎の間隔部分に配置し、独立基礎の立ち上がり部分と緊結したことを示唆するだけであり、具体的に独立基礎の立ち上がり部分と横長のＨ型鋼とをどのような連結構成とするか、横長のＨ型鋼の上部あるいは独立基礎の上部の柱等をどのように構築させて建物全体の支持を行なわせるかについての具体的な開示がなく、Ｈ型鋼という特異な形状の鉄骨材を用いた具体的な建物支持のための構造を具体的に築造することは困難であった。
【０００４】
本発明は上記従来の課題に鑑みてなされたものであり、その目的は、金属束具を支持の基本としてそれらを連結する金属製横連結部材により基礎を形成し、それらに直接に土台、柱、添柱を立設させることのできる木造建築物の支持構造、それを用いた木造建築物並びに木造建築物の支持構造に用いる金属束具を提供することにある。
【課題を解決するための手段】
【０００５】
上記の目的を達成するために、本発明は、コンクリート基礎３００に支持されて地面から立ち上げて設けられ建物外縁Ｅに沿って互いに離隔設置された複数の金属束具１２と、複数の金属束具間に横架されて建物外縁を連結する複数の金属製横連結部材６０と、金属製横連結部材６０上に設置される土台８０と、土台上に立設される柱９０と、を含み、金属束具１２は、金属製横連結部材６０を下から受ける横連結部材受部１４と、土台８０上の柱９０に沿って立設配置されて該柱と連結される添柱１１０を下から受ける添柱受部１６と、を束具本体に一体的に形成してなる木造建築物の支持構造から構成される。金属束具１２は少なくとも建物外縁に沿って建物外縁の輪郭を形成するように隣接の金属束具と所要の間隙で離した状態で立設配置される。なお、間仕切り用の土台の支持部分である建物の内部側について該金属束具を設置してもよい。建物の内部側については例えば他の独立基礎と混在させるように設置することもできる。金属束具１２を支持母体とし、土台、柱、添柱を直接に支持するから、土台の下部が開口し、床下空間の通気を確保し木材の自然の気温や気象条件に応じた吸湿機能を保持し、適度の乾燥状態を維持させて床下部分の構造材の耐久性を保持する。
【０００６】
その際、金属束具１２がＨ形鋼を加工して形成されるとよい。
【０００７】
また、横連結部材受部１４は、縦に配置したＨ形鋼の一方のフランジ１８のウエブ２２との両接合部２１，２１を切り込んで形成した両半截フランジ１８Ａ、１８Ｂを水平方向に屈曲させ、屈曲部２４上面を横連結部材６０載置面とするとともに、両半截フランジの屈曲により出現するウエブ部分を横連結部材受部１４の突合せ接合板２６とするとよい。
【０００８】
さらに、横連結部材受部１４は、縦に配置したＨ形鋼のウエブ２２の一部をウエブとフランジ１８との接合部を含む一辺を有する四角形状に切欠き、切欠きにより出現する通しフランジ板Ｐ，１４６を水平方向に屈曲させ、屈曲部３２，１４７上面を横連結部材載置面としてもよい。
【０００９】
また、添柱受部１６は、横連結部材受部１４よりも高位置でありウエブ部分を切除して出現する通しフランジ板をウエブ側に向けて水平方向に屈曲させ、屈曲部２８上面を添柱載置面とするとよい。
【００１０】
また、金属束具１２の下端にベースプレート４０が固定されており、該ベースプレートに地盤強化用の基礎杭１８０上端部分が連結されているとなおよい。
【００１１】
また、本発明は、上記ののいずれかに記載の木造建築物の支持構造を用いた木造建築物から構成される。
【００１２】
さらに、本発明は、上記のいずれかに記載の木造建築物の支持構造に用いられる金属束具１２から構成される。
【発明の効果】
【００１３】
本発明の木造建築物の支持構造によれば、コンクリート基礎に支持されて地面から立ち上げて設けられ建物外縁に沿って互いに離隔設置された複数の金属束具と、複数の金属束具間に横架されて建物外縁を連結する複数の金属製横連結部材と、金属製横連結部材上に設置される土台と、土台上に立設される柱と、を含み、金属束具は、金属製横連結部材を下から受ける横連結部材受部と、土台上の柱に沿って立設配置されて該柱と連結される添柱を下から受ける添柱受部と、を束具本体に一体的に形成してなる構成であるから、金属束具を支持の基本としてそれらを連結する金属製横連結部材により基礎を形成し、それらに直接に土台、柱、添柱を立設させる結果、従来の布基礎等のコンクリート基礎による床下を閉鎖空間とすることなく、自然通気とし構造材の耐久性を向上させるとともに、コンクリート基礎構築時の型枠組立、コンクリート打設、養生、型バラシ、乾燥等の作業を必要とせず、組付作業のみで建物基礎部分を構築でき、工期が短く、材料コスト、作業コストを低廉に維持することができる。特に、金属束具は横連結部材受部と添柱受部とを有しているから、金属束具を立て込んだ時点で金属製横連結部材や添柱の立設位置が決まり、設計にしたがって良好な精度の構造材組付が可能となり、組付作業性を向上させ得る。
【００１４】
また、金属束具がＨ形鋼を加工して形成されることにより、Ｈ形鋼のウエブ、フランジなどの具体的な連結構造を利用して効率的かつ効果的に横連結部材受部や添柱受部を設けることができ、さらに、これらを金属束具に一体のものとして製作することが可能である。
【００１５】
また、横連結部材受部は、縦に配置したＨ形鋼の一方のフランジのウエブとの両接合部を切り込んで形成した両半截フランジを水平方向に屈曲させ、屈曲部上面を横連結部材載置面とするとともに、両半截フランジの屈曲により出現するウエブ部分を横連結部材受部の突合せ接合板とする構成とすることにより、Ｈ形鋼を利用して横連結部材受部や添柱受部を具体的に一体化させることができるとともに、突合せ接合板が横架させる金属製横連結部材の端部の設置位置決め、並びに金属束具と両側の横連結部材との結合力確保を行うことができる。
【００１６】
また、横連結部材受部は、縦に配置したＨ形鋼のウエブの一部をウエブとフランジとの接合部を含む一辺を有する四角形状に切欠き、切欠きにより出現する通しフランジ板を水平方向に屈曲させ、屈曲部上面を横連結部材載置面とした構成であるから、Ｈ形鋼を利用して横連結部材受部や添柱受部を具体的に一体化させることができる。
【００１７】
また、添柱受部は、横連結部材受部よりも高位置でありウエブ部分を切除して出現する通しフランジ板をウエブ側に向けて水平方向に屈曲させ、屈曲部上面を添柱載置面とした構成であるから、Ｈ形鋼を利用して横連結部材受部や添柱受部を具体的に一体化させることができる。
【００１８】
また、金属束具の下端にベースプレートが固定されており、該ベースプレートに地盤強化用の基礎杭上端部分が連結された構成とすることにより、金属束具を介した建物構造全体が基礎杭に直結することとなり、基礎杭と一体化した強固な建物構造を築造し得る。
【発明を実施するための最良の形態】
【００１９】
次に、添付図面を参照して本発明に係る木造建築物の支持構造の実施の形態を詳細に説明する。本実施形態に係る木造建築物の支持構造は、図１、図２に示すように、建物外縁に沿って複数の金属束具を設置し、それらを金属製横連結部材により横連結し、さらに、該金属束具に金属製横連結部材並びに添柱の受部を一体に形成した点が本願特有の形態の主な特徴点である。
【００２０】
すなわち、本発明に係る木造建築物の支持構造は、建物Ｔの外縁Ｅに沿って設置した複数の金属束具１２と、複数の金属束具間に横架される金属製横連結部材６０と、金属製横連結部材上に設置される土台８０と、土台上に立設される柱９０と、を含む。図２において、建物Ｔの外縁Ｅが四角形状に画成され、外縁に沿って金属束具１２が相互に離隔した位置に外縁線をプロットするように設置されている。金属束具１２は側部金属束具１２１と、隅部金属束具１２２を含む。
【００２１】
実施形態において、金属束具１２は、横連結部材受部１４と、添柱受部１６と、を備えている。図３ないし図９に示す側部金属束具１２１は、少なくとも建物Ｔの外縁Ｅに沿って建物外縁輪郭を点状に描くように間隙を開けながら設置される建物床下部分の縦方向の支持手段であり、間隔を開けて建物外縁輪郭を描くように要所に設置される。間隔を開けた隣接の金属束具１２どうしには金属製横連結部材６０が横架され（図１，２）、これらの金属製横連結部材６０と金属束具１２１との連結体が建物外縁に沿って囲周するように構築される。金属製横連結部材６０の上面側にはそのさらに上部に柱９０を立設させる建物土台８０が密着状に載置した横長状態で固定される。同時に、この金属束具１２は、その上部に、柱９０に沿って立てられる添柱１１０を直接に受けて立設させるものであり、したがって、この金属束具１２は、金属製横連結部材６０とともに、従来の布基礎部分を構成しうるとともに、建物の柱９０を立設支持し同時にその添柱１１０を直接に立設連結し支持する機能を有するものである。
【００２２】
詳細には、図３、４、５、７において、側部金属束具１２１は所要の寸法に切り出した１個のＨ形鋼を加工し横連結部材受部１４並びに添柱受部１６を含んで一体に形成されている。実施形態において、横連結部材受部１４は、金属製横連結部材６０を下から受ける受棚板から構成されており、具体的には、２箇所の切り込みと２つの部位の曲げにより行われる。すなわち、横連結部材受部は、縦に配置したＨ形鋼の対向する２つのフランジ１８、２０のうちの一方のフランジ（第１フランジ）１８のウエブ２２との接合部２１、２１に例えば２箇所直線切り込み２００を施して２つの半截フランジ１８Ａ、１８Ｂを形成する。切り込みは、例えば溶断、レーザ、放電加工その他の方法で形成できる。そして、それらの半截フランジ１８Ａ、１８Ｂをウエブ側矢示ａのように水平方向に屈曲させ、例えば非分割部分のフランジから９０度屈曲形成させる。半截フランジ１８Ａ、１８Ｂは屈曲した状態でウエブ２２の面に直角方向に密接状に配置されており、この状態で各半截フランジとウエブ板面とは直角突合せ部分において溶接接合される。そして、この屈曲部２４の上面が横連結部材６０の載置面とされる。横連結部材６０は、図３に示すようにその両端部分がこの屈曲部２４の上面に載置される。さらに、両半截フランジ１８Ａ、１８Ｂの屈曲により出現するウエブ部分が横連結部材受部の突合せ接合板２６とされる。突合せ接合板２６は、元々はウエブ本体２３の一部であり、図３に示すように、その両面に横連結部材６０の端部を付き合わせ、その状態で例えばボルト等で締結して金属束具１２とその両側の金属製横連結部材６０とを強固に連結固定させる。横連結部材受部１４の突合せ接合板２６の横連結部材６０との突合せ位置には複数のボルト孔３０が設けられている。側部金属束具１２１において、横連結部材受部１４は２つの半截フランジ１８Ａ、１８Ｂからなる屈曲部２４を含む。
【００２３】
さらに、本実施形態において、第１フランジに対向する第２フランジ２０側に添柱受部１６が形成されている。添柱受部１６は、土台８０と柱９０の基礎となる横連結部材６０を安定支持する金属束具１２に一体形成されて同時に、柱９０に添えられて立設され建物構造を補強する添柱１１０を直接に立設支持する添柱支持盤である。具体的には、実施形態において、添柱受部１６は、横連結部材受部１４よりも高位置のウエブ部分を四角形状に切除し、それによって出現する、ウエブの存在がなく通しの板部分となる、フランジ板をウエブ側に向けて水平方向に屈曲させ、この屈曲部２８上面を添柱載置面として構成されている。図示しないが、添柱１６の屈曲板の上面に挿通ピンを立設させて添柱の下端から内部側に穿穴した長孔に挿通させて添柱と金属束具との位置決めを容易にさせるとよい。
【００２４】
金属製横連結部材６０は、実施形態において、Ｈ形鋼が用いられている。そして、金属束具１２との連結接続に際しては、対向する２つのフランジの面がそれぞれ上下を向くように上フランジと下フランジを形成してＨ形鋼を配置し、その両端部分には図３に示すように、連結板６２を長手方向と直角状に固定している。連結板６２は、Ｈ形鋼の断面でフランジの四隅と同じ四隅を有する四角形金属板で構成して部材６０の端部を規定するように溶接固定されている。そして、この連結板６２を金属束具１２の突合せ接合板２６と面合わせし、その状態で２つの横連結部材６０と突合せ接合板２６とを差し通してボルト連結させる。金属製横連結部材６０の上フランジには上面に載置する土台との連結用ボルト６４が立設固定されており、上部に横倒し状に配置する土台のボルト孔にボルト６４を挿通して連結固定される。なお、上方にピンを立設させておいて土台に設けた孔に貫通させナットで固定させる等、土台との任意の種々異なる固定方法により固定することができる。
【００２５】
金属製横連結部材６０の上側のフランジ６０Ａは上部平面を有しており、この上部平面上に例えば木製土台８０が横倒し状に配置されて面合わせで密着配置される。そして、上記したようにボルトあるいはピンなどを用いて横連結部材と連結接合される。
【００２６】
さらに、この土台には必要に応じて公知のほぞとほぞ穴のような公知の継手、仕口構造の雌雄嵌合部７０を介して連結する木製柱９０が立設固定される。柱９０は、建物構造上必要とされる要所に立設され、他の建物構造材にも一部を連結させて建物構造要素として適用される。
【００２７】
また、添柱１１０は、図１，３，８に示すように下端部を添柱受部１６の平面としての上面に安定載置され、通常は、柱９０に密着して該柱９０に沿って立設配置される。この際、図８に示すように、密接する柱９０とボルト・ナット締結等によるボルト連結手段９２等により柱同士で連結固定され、一体化される。
【００２８】
なお、図２中の建物外縁と中仕切りとの連結位置については、図４の側部金属束具１２１を加工し、例えば図１０の側部金属束具１２１−１に示すように第２フランジ２０の背面側に受台５０を突設固定させることにより中仕切り側の金属製横連結部材との連結を簡単に行える。また、その他の中仕切り部分の土台の結節点などにおいても、側部金属束具１２１をベースとして加工し、あるいは後述の他の金属束具との組合せにより、連結させることができる。
【００２９】
次に、図１３，１４により隅部金属束具１２２について説明する。隅部金属束具１２２の金属束具１２は、横連結部材受部１４１と、添柱受部１６と、を一体的に備え、土台８０と柱９０の基礎となる横連結部材６０を安定支持支持するとともに、柱９０に協働して建物構造を補強する添柱を安定支持する機能を有する点では側部金属束具１２１と同様である。
【００３０】
隅部金属束具１２２の横連結部材受部１４１は、縦に配置したＨ形鋼のウエブ２２の一部について、ウエブとフランジ（第１フランジ）１８との接合部を含む一辺を有する四角形Ｓ（図１５の斜線部分）を切欠き、その切欠きにより出現する通しフランジ板Ｐを水平方向に向けて矢示ａのように屈曲させ、屈曲部３２の上面を横連結部材載置面としている。また、第２フランジ２０側の添柱受部１６の構成は、側部金属束具と同様に、横連結部材受部よりも高位置でありウエブの一部を切除して出現する元フランジによる板状部分をウエブ側に向けて水平方向に屈曲させ、屈曲部上面を添柱載置面としている。さらに、図１４に示すように、この隅部金属束具１２２では、第２フランジ２０の背面側に、横連結部材６０と直角方向に接続される横連結部材６０１を受けて支持する受台６０４が横方向に突設固定されている。受台６０４は、建物外縁の隅部における直角横連結部材を受けて金属束具１２２と具体的かつ容易に連結させる連結受部であり、Ｈ形鋼からなる直角横連結部材を簡易に安定して受けた状態で溶接等により該隅部金属束具１２２に連結固定される。この隅部金属束具１２２についても土台８０支持用の横連結部材６０、６０１と、柱９０と、添柱１１０との連結を具体的に行なえ、側部金属束具と同様に、その上面に建物構造要素を直接に立設させて連結させることができる。
【００３１】
次に、本発明の実施形態による木造建築物の支持構造の構築手順について説明する。該支持構造の構築に際しては、予め図１１〜図１３に示すように計画地盤１７０に金属束具の支持用のコンクリート基礎３００を設置する。本実施形態のコンクリート基礎３００は、金属束具１２の下端部の固定支持を行なうものであり、従来の布基礎のように基礎コンクリートに一体に立ち上げられて土台を直接に支持する壁体は存在しない。地面と面一状に設置したり、数センチメートルあるいは１０〜２０ｃｍ程度の高さで設置してもよい。コンクリート打設に際してはコンクリート基礎に、Ｈ形鋼の長手を縦にして立てられた状態のＨ形鋼の下端に水平方向にベースプレート４０を溶接固定し、アンカー鉄筋４２を介してコンクリート基礎３００に金属束具１２の下部を図２のように建物外縁に沿って必要に応じた複数個を離隔設置する。例えば建物の柱の立設位置に対応して金属束具を建物外縁や仕切り線に沿って離隔設置し、それらに両端側を掛け渡すように金属製横連結部材を架設する。そいて、横連結部材６０の上面に土台、柱、必要に応じた添柱を設置するだけで建物の基礎及びそれに立設する柱などを直接に立ち上げることができる。図１３のように、Ｈ形鋼の横連結部材と地面との間には大きな空隙Ｕが形成され、外部あるいは外気と連通状態となっている。したがって、コンクリート基礎構築時の型枠組立、コンクリート打設、養生、型バラシ、乾燥等の作業を必要とせず、組付作業のみで建物基礎部分を構築できるから、工期が短く、材料コスト、作業コストも低廉に保持しうる。図２の例では、建物の外縁Ｅの内側に間仕切り土台８２や火打土台８４が設置され、それらの要所の下部位置にもコンクリート基礎３００並びに金属束具１２が設置されている。そして、側部金属束具１２１の横連結部材受部１４には突合せ接合板２６を中央にしてその両側に端部の連結板６２をそれぞれ密着面合わせした状態でボルト連結するとともに、隅部金属束具１２２では、一方側の横連結部材６０を横連結部材受部１４１に受けさせるとともに、直角横連結部材６０１は、受台６０４に受けさせた状態でボルト連結あるいは溶接等により固定する。次に、横連結部材６０、直角横連結部材６０１の上フランジ上面に断面四角形状の木製土台８０を面合わせ状に載置し、ねじ軸を土台に設けた孔に挿通してナット等で連結する。平面同士の面合わせにより、載置作業を安定して短時間で行え、かつ密着性を確実に確保できる。さらにその上に設計に基づいて柱９０を立設固定する。一方、平面としての上面を有する添柱受部１６上に柱９０に側面を密着させて添柱１１０を立設配置させ、柱９０とねじ軸とナット等により螺着固定する。また、隅部金属束具１２２については、横連結部材受部１４１に横連結部材６０の端部を受けさせて溶接、ボルト締結、その他の連結接合手段により連結させる。また、受台６０４に直角横連結部材６０１を受けさせて同様に任意の固定連結方法で連結させる。図１３上、１５０は梁、１６０は２階部分の柱、１６２は天井材、１６４は小屋束、１６６は屋根受部材、１６８は屋根である。
【００３２】
図１６は、木造建築物の支持構造の他の実施形態を示しており、この実施形態では金属束具１２の下端にベースプレート４０が固定されており、該ベースプレート４０に地盤強化用の地盤基礎杭１８０がその上端部分を直結させて連結されている。地盤基礎杭１８０と金属束具１２が一体となり、建物基礎部分を強化させ得る。
【００３３】
また、図１７、図１８は、側部金属束具１２１の他の例１２１（１）を示している。この例では、前記した隅部金属束具１２２の受台６０４を除いたものと同一構成であり、横連結部材受部１４５は、縦に配置したＨ形鋼のウエブ２２の一部であるウエブとフランジとの接合部を含む一辺を有する四角形状（図１８の斜線部分Ｈ）に切欠き、切欠きにより出現する通しフランジ板１４６を水平方向に屈曲させ、屈曲部１４７上面を横連結部材載置面としたものであり、この例では、突合せ接合板２６は存在しないが第１の実施形態の横連結部材受部１４とほぼ同様の作用効果を奏しうる。
【００３４】
以上、詳細に説明した本実施形態の木造建築物の支持構造によれば、建物外縁に沿って金属束具を複数設置し、さらに横連結部材受部並びに添柱受部を備えて金属製横連結部材との連結接合を具体的に実現し、さらに土台並びに柱、さらに添柱を該金属束具の上に設置するから建物強度を保持し、同時にコスト低減、床下空間の通気を確保することができる。
【産業上の利用可能性】
【００３５】
本発明の木造建築物の支持構造、木造建築物並びに金属束具は、一般住宅、集会施設、展示場、事業所、学校、その他の公共建築などに適用できる。
【図面の簡単な説明】
【００３６】
【図１】本発明の木造建築物の支持構造の一実施形態を示す要部の斜視説明図である。
【図２】図１の実施形態の建物全体の基礎部分を示す平面図である。
【図３】図１の実施形態に係る木造建築物の支持構造の金属束具及びその上部構造物の接続状態を示す要部斜視説明図である。
【図４】図１の実施形態に係る木造建築物の支持構造の側部金属束具の斜視図である。
【図５】図４の側部金属束具の製造工程を説明する説明図である。
【図６】図５の側部金属束具の平面図である。
【図７】図４のＡ−Ａ線矢示図である。
【図８】図１の実施形態に係る木造建築物の支持構造の金属束具及びその上部構造物の接続状態を示す要部分解斜視説明図である。
【図９】図５の側部金属束具の背面図である。
【図１０】実施形態の側部金属束具の他の例を示す斜視図である。
【図１１】図１の実施形態に係る木造建築物の支持構造の施工後の状態の一部省略要部拡大縦断面図である。
【図１２】図１１のＢ−Ｂ線矢示図である。
【図１３】図１の実施形態の建物全体の縦断面説明図である。
【図１４】図１の実施形態に係る木造建築物の支持構造の隅部における金属束具及びその上部構造物の接続状態を示す要部斜視説明図である。
【図１５】図１３の隅部金属束具の斜視図である。
【図１６】他の実施形態に係る木造建築物の支持構造の施工後の状態の一部省略要部拡大縦断面図である。
【図１７】他の実施形態に係る側部金属束具の斜視図である。
【図１８】図１７の側部金属束具の側面説明図である。
【符号の説明】
【００３７】
１２    金属束具
１２１  側部金属束具
１２２  隅部金属束具
１４  横連結部材受部
１６  添柱受部
１８  第１フランジ
１８Ａ、１８Ｂ  半截フランジ
２０  第２フランジ
２２  ウエブ
２４  屈曲部
２６  突合せ接合板
２８  屈曲部
３２  屈曲部
６０  金属製横連結部材
６２  連結板
８０  土台
９０  柱
１１０  添柱
１４１  横連結部材受部
１４５  横連結部材受部（他の実施形態）
１４６  通しフランジ板  
１４７  屈曲部
３００  コンクリート基礎
６０１  直角横連結部材
６０４  受台
【図１】
0004724791.tif 000002
【図２】
0004724791.tif 000003
【図３】
0004724791.tif 000004
【図４】
0004724791.tif 000005
【図５】
0004724791.tif 000006
【図６】
0004724791.tif 000007
【図７】
0004724791.tif 000008
【図８】
0004724791.tif 000009
【図９】
0004724791.tif 000010
【図１０】
0004724791.tif 000011
【図１１】
0004724791.tif 000012
【図１２】
0004724791.tif 000013
【図１３】
0004724791.tif 000014
【図１４】
0004724791.tif 000015
【図１５】
0004724791.tif 000016
【図１６】
0004724791.tif 000017
【図１７】
0004724791.tif 000018
【図１８】
0004724791.tif 000019